(57)【要約】【課題】  巡視すべき患者の部屋への出入りをリアルタイムに管理することおよび部屋に居る患者について巡視の完了を記録することを個別の装置を使用せずにまとめて実施できるようにする。【解決手段】  患者用無線機１を患者に携行させ、医療従事者用無線機２を医療従事者に携行させて、入退室検出装置４が入退室を検出した場合に、読取装置５がその部屋の出入口付近の患者用無線機１から患者識別情報のみを読み取ったときに、患者が入退室したと判断して読み取った患者識別情報を患者管理データとして記録する。一方、入退室検出装置４が退室を検出した場合に、読取装置５がその部屋の出入口付近の医療従事者用無線機２から医療従事者識別情報を読み取り、患者用無線機１から患者識別情報を読み取ったときに、その患者用無線機１を医療従事者が受け取って退室したと判断して、その患者への巡視の完了を巡視データとして記憶する。【選択図】        図１
2012179104.tif 000002
【特許請求の範囲】
【請求項１】
患者により携行され、前記患者を他の患者および医療従事者と識別するための患者識別情報を記憶する患者用無線機と、
前記患者を巡視する医療従事者により携行され、前記医療従事者を他の医療従事者および患者と識別するための医療従事者識別情報を記憶する医療従事者用無線機と、
前記患者が居る部屋毎に設置され、前記部屋への人の出入りを区別して検出する入退室検出装置と、
前記入退室検出装置が入室または退室を検出した場合に、近傍に存在する患者用無線機および医療従事者用無線機から患者識別情報および医療従事者識別情報を読み取る読取装置と、
部屋に居る患者の患者識別情報を患者管理データとして記憶するとともに、巡視を実施した患者の患者識別情報を巡視データとして記憶する記憶装置と、
前記入退室検出装置が入室を検出した場合に、前記読取装置が患者識別情報のみを読み取ったときに、その患者識別情報により特定される患者が部屋に入ったと判断し、前記入退室検出装置が退室を検出した場合に、前記読取装置が患者識別情報のみを読み取ったときに、その患者識別情報により特定される患者が部屋を出たと判断して、患者管理データとして前記記憶装置に記憶させるとともに、前記入退室検出装置が退室を検出した場合に、前記読取装置が医療従事者識別情報および患者識別情報を読み取ったときに、その患者識別情報を巡視データとして前記記憶装置に記憶させる制御装置と、
を備えたことを特徴とする患者管理システム。
【発明の詳細な説明】
【技術分野】
【０００１】
本発明は、病院や介護施設などにおいて、患者や被介護者の状態を確認するために、医療従事者や介護者が部屋に居る患者や被介護者に対して巡視したことおよび患者の行動を記録するための患者管理システムに関する。
【背景技術】
【０００２】
従来、病院や介護施設（以下、施設とする）において、医療従事者や介護者（以下、単に医療従事者とする）は、施設内の患者や被介護者（以下、単に患者とする）が居る部屋に行って患者の状態を直接その目で見て異常があるかどうかを確認する巡視を行っていた。また、医療従事者は、巡視を実施しているときに患者の異常に気づいたら迅速な処置を施し、不慮の事故の発生を未然に防いでいた。ここで、巡視は、所定の時間間隔で繰り返し行われることが多い。
【０００３】
しかしながら、このように巡視が行われていても、巡視の合間に不慮の事故が発生してしまうことがあった。不慮の事故が発生した場合、監視体制が問題となり、場合によっては、患者側から監視体制の不備が指摘され、患者の異常の発見が遅れたことを医療従事者側が追及されることがあった。
【０００４】
このような追及に対して、医療従事者側は、巡視が実施された日時を患者毎に記録しておくことで巡視が実施されていたことを明確にすることができ、監視体制に不備が無かったことを証明することができる。しかしながら、医療従事者が一人の患者の状態の確認を行う度にその患者への巡視が実施されたことを日時とともに記録する作業を行っている場合には、巡視対象である患者が多いと、巡視の記録が医療従事者に手間をかけてしまうという問題があった。
【０００５】
ここで、医療従事者が巡視を実施した日時を患者毎に記録する方法としては、部屋に居る患者が使用するベッド付近に記録ボタンを設置して、記録ボタンが押下された日時を示す情報とその記録ボタンが設置されているベッドを使用している患者を示す情報とを関連付けて巡視データとして記録する方法や部屋に居る患者にＩＣ（Ｉｎｔｅｇｒａｔｅｄ  Ｃｉｒｃｕｉｔ）タグを携行させ、巡視を実施する医療従事者にＩＣタグを読み取るタグリーダーを携行させて、タグリーダーがＩＣタグを読み取った日時を示す情報と読み取られたＩＣタグを携行している患者を示す情報とを関連付けて巡視データとして記録する方法などがある。
【０００６】
このような方法で巡視の記録を行った場合の問題を解決するために、部屋単位で巡視が実施されたことを記録する技術が知られている（例えば、特許文献１など）。特許文献１に記載のナースコールシステムは、部屋の中に居る全ての患者に対して巡視が完了し、医療従事者がその部屋の出入口付近に設置された個別情報廊下灯の巡視ボタンを押下することで、その個別情報廊下灯が設置されている部屋の部屋番号を示す情報と巡視ボタンが押された時刻を示す情報とを巡視データとして記録するようにしている。これにより、個別情報廊下灯の巡視ボタンを押すだけで、個別情報廊下灯が設置されている部屋に居る全ての患者に対して巡視データが記録されるので、巡視を実施する医療従事者は、患者の状態の確認を行う度に巡視データを記録するという作業を行わなくて済むようになる。また、前述した従来技術を応用すると、特許文献１に記載の巡視ボタンの代わりに個別情報廊下灯にタグリーダーを搭載し、医療従事者にＩＣタグを携行させて、医療従事者がタグリーダーにＩＣタグを読み取らせると、その個別情報廊下灯が設置されている部屋の部屋番号を示す情報とタグリーダーがＩＣタグを読み取った時刻を示す情報とを巡視データとして記録することができる。
【０００７】
しかしながら、この従来技術では、全ての患者が部屋に揃っていないと医療従事者が巡視ボタンを操作したり、ＩＣタグを読み取らせたりすることができなくなってしまうという問題があった。また、全ての患者が部屋に揃っていない状態で医療従事者が巡視ボタンを操作したり、ＩＣタグを読み取らせたりしてしまうと、その部屋に居なかった患者についても巡視データが記録されてしまうという問題があった。これにより、巡視が行われた患者の巡視データが記録されなかったり、巡視が行われていない患者の巡視データが記録されたりして、巡視データの信憑性が低くなってしまうという問題があった。
【０００８】
ところで、全ての患者が部屋に揃っているか否かを医療従事者が判断するには、部屋に居る患者および部屋に居ない患者を特定する必要があった。部屋に出入りした人を特定するために、医療従事者などの病室への入室および退室を検知する入退室検知装置と、医療従事者が携行しているＩＣタグの識別情報を読み取る識別情報読取装置とを各病室の出入口近傍に設置し、入退室検知装置が入退室を検知した場合に、識別情報読取装置が近くに存在するＩＣタグから識別情報を読み取る技術が知られている（例えば、特許文献２など）。これにより、識別情報読取装置が読み取った識別情報から病室に出入りした医療従事者を特定することができる。
【０００９】
このような、特許文献２に記載の技術を前述の従来技術に適用すると、患者にＩＣタグを携行させ、患者が部屋に入退室したことを検知した際に、部屋の出入口付近に設置されているタグリーダーが近くに存在するＩＣタグを読み取ることで、患者の部屋への出入りを記録することができる。
【００１０】
また、この従来技術において、医療従事者が巡視を行った患者の巡視データを記録するためには、部屋への出入りを記録するためのタグリーダーとは別に専用のタグリーダーを設置し、医療従事者が携行しているＩＣタグを読み取らせ、そのときに部屋の中に居るであろう患者についてのみ巡視データの記録を行うようにすることが考えられる。しかしながら、この従来技術では、患者の部屋への出入りを記録するためのタグリーダーと、巡視データを記録するためのタグリーダーとを部屋の出入口付近にそれぞれ設置しなければならないという問題があった。
【先行技術文献】
【特許文献】
【００１１】
【特許文献１】特開２００７−６９２７号公報
【特許文献２】特開２０１０−７５５８２号公報
【発明の概要】
【発明が解決しようとする課題】
【００１２】
本発明は、このような問題を解決するために成されたものであり、巡視すべき患者の部屋への出入りをリアルタイムに管理すること、および、その部屋に居る患者についてのみ巡視の完了を記録することを個別の装置を使用せずにまとめて実施できるようにすることを目的とする。
【課題を解決するための手段】
【００１３】
上述した課題を解決するために、本発明の患者管理システムでは、患者および医療従事者に無線機を携行させ、部屋への人の出入りを区別して検出する入退室検出装置と、入退室検出装置が人の出入りを検出した場合に、患者や医療従事者が携行している無線機から患者および医療従事者を識別可能に識別情報を読み取る読取装置とを部屋の出入口近傍に設置する。そして、入退室検出装置が人の退室を検出した場合に、無線機から読み取った識別情報が患者識別情報のみであるときには、その患者識別情報によって特定される患者が部屋に居ないことを記録し、入退室検出装置が人の入室を検出した場合に、無線機から読み取った識別情報が患者識別情報のみであるときには、その患者識別情報によって特定される患者が部屋に居ることを記録して、入退室検出装置が人の退室を検出した場合に、無線機から読み取った識別情報が医療従事者識別情報および患者識別情報であるときには、その患者識別情報によって特定される患者への巡視が完了したことを記録するようにしている。
【発明の効果】
【００１４】
上記のように構成した本発明によれば、入室または退室を検出した場合に、患者識別情報のみが読み取られたときには、その患者識別情報により特定される患者が入退室したと判断されて、読み取った患者識別情報が患者管理データとして記録される。また、退室を検出した場合に、医療従事者識別情報および患者識別情報の両方が読み取られたときには、その患者識別情報により特定される患者が携行していた無線機を医療従事者が受け取って退室したと判断されて、その患者への巡視が完了したことが記録される。これにより、巡視すべき患者の部屋への出入りをリアルタイムに管理することおよびその部屋に居る患者についてのみ巡視の完了を記録することを個別の装置を使用せずにまとめて実施することができる。
【図面の簡単な説明】
【００１５】
【図１】本実施形態による患者管理システムの構成例を示すブロック図である。
【図２】本実施形態による患者管理システムを適用した部屋の状態例を示す図である。
【図３】本実施形態による患者管理システムの巡視データの記憶内容の例を示す図である。
【図４】本実施形態による患者管理システムの制御装置の動作を示すフローチャートである。
【発明を実施するための形態】
【００１６】
以下、本発明の一実施形態を図面に基づいて説明する。図１は、本実施形態による患者管理システムの構成例を示すブロック図である。同図に示すように、本実施形態による患者管理システムは、患者用無線機１、医療従事者用無線機２、制御装置３、入退室検出装置４、読取装置５、記憶装置６を備えて構成されている。
【００１７】
図１および図２において、患者用無線機１は、所謂ＩＣタグであり、患者により携行される。ここで、患者用無線機１は、患者を他の患者および医療従事者と識別するための患者識別情報を記憶している。医療従事者用無線機２は、所謂ＩＣタグであり、医療従事者により携行される。ここで、医療従事者用無線機２は、医療従事者を他の医療従事者および患者と識別するための医療従事者識別情報を記憶している。
【００１８】
制御装置３は、パーソナルコンピューターなどにより構成されており、本実施形態による患者管理システムの各構成要素を後述するように制御する。また、制御装置３は、医療従事者が居る部屋（例えば、スタッフルーム）などに設置されている。
【００１９】
入退室検出装置４は、赤外線センサなどにより構成されており、部屋への人の出入りを区別して検出する。また、図２（ａ）に示すように、入退室検出装置４は、部屋の出入口付近に設置されている。ここで、入退室検出装置４は、制御装置３に伝送線を介して接続されている。また、入退室検出装置４は、部屋の内側および外側の二箇所で、部屋の出入口を横切るようにして放射した赤外線を受光しており、人体などの物体により放射された赤外線が遮られて受光しなくなることで物体を検出する。
【００２０】
具体的には、放射されている二本の赤外線のうち、部屋の外側で放射されている赤外線が遮られてから部屋の内側で放射されている赤外線が遮られた場合に、入退室検出装置４は、人が入室したことを示す入室検出信号を生成して制御装置３へ出力する。一方、放射されている二本の赤外線のうち、部屋の内側で放射されている赤外線が遮られてから部屋の外側で放射されている赤外線が遮られた場合に、入退室検出装置４は、人が退室したことを示す退室検出信号を生成して制御装置３へ出力する。ここで、入室検出信号および退室検出信号は、入退室検出装置４を他の入退室検出装置４と識別するための入退室検出装置識別情報を含む。
【００２１】
読取装置５は、部屋の出入口付近の天井などに設置されており、部屋の出入口付近を読み取り範囲とするタグリーダーなどにより構成されている。ここで、読取装置５は、部屋の出入口付近に存在する患者用無線機１および医療従事者用無線機２から患者識別情報および医療従事者識別情報を読み取る。また、読取装置５は、伝送線を介して制御装置３に接続されている。
【００２２】
読取装置５は、読み取り範囲に入った患者用無線機１および医療従事者用無線機２に電源を供給する。電源が供給された患者用無線機１は記憶されている患者識別情報を送信する。また、電源が供給された医療従事者用無線機２は記憶されている医療従事者識別情報を送信する。読取装置５は、患者識別情報および医療従事者識別情報の少なくとも一方を受信すると、受信した識別情報を含む読取信号を生成して制御装置３へ出力する。ここで、読取信号は、この読取装置５を他の読取装置５と識別するための読取装置識別情報を含む。
【００２３】
記憶装置６は、メモリなどにより構成されており、スタッフルームなどに設置されている。また、記憶装置６は、入退室検出装置４の入退室検出装置識別情報、その入退室検出装置４が設置されている部屋に設置されている読取装置５の読取装置識別情報およびその入退室検出装置４が設置されている部屋を使用している患者の患者識別情報を関連付けて予め記憶している。ここで、医療従事者などは、患者が入院したり部屋を移ったりしたタイミングで、その患者の患者識別情報を登録する。また、記憶装置６は、部屋に居る患者を示す在室患者識別情報および部屋に居ない患者を示す不在患者識別情報を患者管理データとして記憶する。また、記憶装置６は、巡視を完了した患者の患者識別情報および巡視を完了した日時を示す巡視日時情報を関連付けて巡視データとして記憶する。なお、患者識別情報を見ただけでは、部屋へ入退室した患者および巡視が実施された患者が誰かわかり難いため、患者識別情報と患者の氏名を示す氏名情報（特許請求の範囲の患者識別情報に該当する）とを関連付けて記憶しておき、氏名情報を巡視データとして記憶するようにしても良い。また、本実施形態では、巡視データとして巡視を完了した日時を示す巡視日時情報を記憶装置６に記憶させているが必須ではない。
【００２４】
制御装置３は、入退室検出装置４から出力された入室検出信号を入力した場合に、記憶装置６を参照して、入力した入室検出信号に含まれている入退室検出装置識別情報に関連付けて記憶されている読取装置識別情報を含む読取信号を読取装置５から入力したか否かを判定する。また、制御装置３は、読取信号を入力した場合に、読取信号に含まれている識別情報が読取装置識別情報に関連付けて記憶されている患者識別情報であるか医療従事者識別情報であるかを判定する。
【００２５】
入力した入室検出信号に含まれている入退室検出装置識別情報に関連付けて記憶されている読取装置識別情報を含む読取信号を読取装置５から入力したと制御装置３にて判断した場合に、読取装置識別情報に関連付けて記憶されている患者識別情報が読取信号に含まれていると制御装置３にて判断したときには、制御装置３は、入力した読取信号に含まれている患者識別情報により特定される患者が部屋に入ったと判断して、その患者識別情報を患者管理データの在室患者識別情報として記憶装置６に記憶させる。
【００２６】
また、制御装置３は、入退室検出装置４から出力された退室検出信号を入力した場合に、記憶装置６を参照して、入力した退室検出信号に含まれている入退室検出装置識別情報に関連付けて記憶されている読取装置識別情報を含む読取信号を読取装置５から入力したか否かを判定する。また、制御装置３は、読取信号を入力した場合に、読取信号に含まれる識別情報が読取装置識別情報に関連付けて記憶されている患者識別情報であるか医療従事者識別情報であるかを判定する。
【００２７】
入力した退室検出信号に含まれている入退室検出装置識別情報に関連付けて記憶されている読取装置識別情報を含む読取信号を読取装置５から入力したと制御装置３にて判断した場合に、読取装置識別情報に関連付けて記憶されている患者識別情報のみが入力した読取信号に含まれているか、医療従事者識別情報および読取装置識別情報に関連付けて記憶されている患者識別情報の両方が含まれているかを判定する。
【００２８】
読取装置識別情報に関連付けて記憶されている患者識別情報のみが入力した読取信号に含まれていると制御装置３にて判断した場合に、制御装置３は、その患者識別情報を患者管理データの不在患者識別情報として記憶装置６に記憶させる。
【００２９】
また、医療従事者識別情報および読取装置識別情報に関連付けて記憶されている患者識別情報の両方が入力した読取信号に含まれていると制御装置３にて判断した場合に、制御装置３は、現在日時を計測する図示しない時計装置から、現在日時を示す現在日時情報を取得し、読取信号に含まれている患者識別情報に関連付けて巡視データとして記憶装置６に記憶させる。
【００３０】
図２は、本実施形態による患者管理システムの適用した部屋の状態例を示す図である。ここで、図２（ａ）に示す部屋には、患者識別情報が「１ａ」である患者用無線機１を携行している患者（以下、患者ａと記載する）、患者識別情報が「１ｂ」である患者用無線機１を携行している患者（以下、患者ｂと記載する）、患者識別情報が「１ｃ」である患者用無線機１を携行している患者（以下、患者ｃと記載する）、患者識別情報が「１ｄ」である患者用無線機１を携行している患者（以下、患者ｄと記載する）が初期状態として入退室検出装置４の入退室検出装置識別情報および読取装置５の読取装置識別情報に関連付けて登録されている。また、医療従事者識別情報が「２ａ」である医療従事者用無線機２を携行している医療従事者が巡視を行うものとする。
【００３１】
この状態で、患者ａ〜患者ｄの何れかの患者が部屋に入ると、患者が携行している患者用無線機１から患者識別情報が読み取られ、在室患者識別情報として患者管理データが記録される。また、患者ａ〜患者ｄ以外の患者が部屋に入ると、患者が携行している患者用無線機１から患者識別情報が読み取られるものの、その患者識別情報がこの部屋に登録されていないため、在室患者識別情報として患者管理データが記録されることはない。
【００３２】
また、部屋の中に居る患者ａ〜患者ｄに何れかの患者が部屋から出ると、患者が携行している患者用無線機１から患者識別情報が読み取られ、不在患者識別情報として患者管理データが記録される。また、患者ａ〜患者ｄ以外の患者が部屋から出ると、患者が携行している患者用無線機１から患者識別情報が読み取られるものの、その患者識別情報がこの部屋に登録されていないため、不在患者識別情報として患者管理データが記録されることはない。
【００３３】
例えば、患者ａおよび患者ｂが部屋の中に居る状態で（図２（ｂ））、巡視を行う医療従事者が部屋に入り、患者ａおよび患者ｂに対して巡視を行うと、医療従事者は、患者ａから患者識別情報が「１ａ」である患者用無線機１を受け取るとともに、患者ｂから患者識別情報が「１ｂ」である患者用無線機１を受け取る（図２（ｃ））。そして、患者用無線機１を受け取った医療従事者が部屋から出ると（図２（ｄ））、医療従事者が携行している医療従事者用無線機２の医療従事者識別情報「２ａ」だけでなく、患者用無線機１の識別情報「１ａ」および「１ｂ」も読取装置５によって読み取られる。
【００３４】
すると、制御装置３は、時計装置から現在日時を示す現在日時情報「２／２１  ９：００」を取得し、読み取った読取信号から患者識別情報「１ａ」、「１ｂ」に関連付けて巡視データとして記憶装置６に記憶させる。記憶装置６には、図３に示すように、巡視データとして、患者識別情報「１ａ」、「１ｂ」および巡視日時情報「２／２１  ９：００」が関連付けて記憶される。一方で、医療従事者が患者用無線機１を受け取ることができなかった患者識別情報が「１ｃ」である患者ｃおよび患者識別情報が「１ｄ」である患者ｄについては、巡視が完了していないため、巡視データが記録されない。
【００３５】
本実施形態では、医療従事者が患者用無線機１を受け取っているため、巡視データの記録を一人の患者につき一度しか実施することができないが、巡視を行う医療従事者が新しい患者用無線機１を患者に手渡すことで、次の巡視データの記録も実施することができる。このとき、医療従事者が退室し、受け取った患者用無線機１と医療従事者用無線機２とが読み取られたタイミングで、手渡した患者用無線機１を部屋に自動的に登録する（入退室検出装置４の入退室検出装置識別情報および読取装置５の読取装置識別情報に関連付けて記憶装置６に記憶させる）ようにすれば、巡視を行う医療従事者が患者用無線機１を持って入室しても、在室患者識別情報として患者管理データが記録されることはない。
【００３６】
次に、本実施形態による患者管理システムの制御装置３の動作を説明する。図４は、本実施形態による患者管理システムの制御装置３の動作を示すフローチャートである。まず、制御装置３は、入退室検出装置４から出力された入室検出信号を入力したか否かを判定する（ステップＳ１）。入室検出信号を検出したと制御装置３にて判断した場合には（ステップＳ１にてＹＥＳ）、制御装置３は、記憶装置６を参照して、入力した入室検出信号に含まれている入退室検出装置識別情報に関連付けて記憶されている読取装置識別情報を含む読取信号を読取装置５から入力したか否かを判定する（ステップＳ２）。読取信号を入力していないと制御装置３にて判断した場合には（ステップＳ２にてＮＯ）、ステップＳ１の処理に戻る。
【００３７】
一方、読取信号を入力したと制御装置３にて判断した場合には（ステップＳ２にてＹＥＳ）、制御装置３は、記憶装置６を参照して、入力した読取信号に含まれている読取装置識別情報に関連付けて記憶されている患者識別情報が入力した読取信号に含まれているか否かを判定する（ステップＳ３）。患者識別情報が含まれていないと制御装置３にて判断した場合には（ステップＳ３にてＮＯ）、ステップＳ１の処理に戻る。一方、患者識別情報が含まれていると制御装置３にて判断した場合には（ステップＳ３にてＹＥＳ）、制御装置３は、読取信号に含まれている患者識別情報を患者管理データの在室患者識別情報として記憶装置６に記憶させ（ステップＳ４）、ステップＳ１の処理に戻る。
【００３８】
また、入室検出信号を入力していないと制御装置３にて判断した場合には（ステップＳ１にてＮＯ）、制御装置３は、入退室検出装置４から出力された退室検出信号を入力したか否かを判定する（ステップＳ５）。退室検出信号を入力していないと制御装置３にて判断した場合には（ステップＳ５にてＮＯ）、ステップＳ１の処理に戻る。一方、退室検出信号を入力したと制御装置３にて判断した場合には（ステップＳ５にてＹＥＳ）、制御装置３は、記憶装置６を参照して、入力した退室検出信号に含まれている入退室検出装置識別情報に関連付けて記憶されている読取装置識別情報を含む読取信号を読取装置５から入力したか否かを判定する（ステップＳ６）。読取信号を入力していないと制御装置３にて判断した場合には（ステップＳ６にてＮＯ）、ステップＳ１の処理に戻る。
【００３９】
一方、読取信号を入力したと制御装置３にて判断した場合には（ステップＳ６にてＹＥＳ）、制御装置３は、記憶装置６を参照して、入力した読取信号に含まれている読取装置識別情報に関連付けて記憶されている患者識別情報が入力した読取信号に含まれているか否かを判定する（ステップＳ７）。患者識別情報が含まれていないと制御装置３にて判断した場合には（ステップＳ７にてＮＯ）、ステップＳ１の処理に戻る。一方、患者識別情報が含まれていると制御装置３にて判断した場合には（ステップＳ７にてＹＥＳ）、制御装置３は、入力した読取信号に医療従事者識別情報が含まれているか否かを判定する（ステップＳ８）。医療従事者識別情報が含まれていないと制御装置３にて判断した場合には（ステップＳ８にてＮＯ）、制御装置３は、読取信号に含まれている患者識別情報を患者管理データの不在患者識別情報として記憶装置６に記憶させ（ステップＳ９）、ステップＳ１の処理に戻る。
【００４０】
一方、医療従事者識別情報が含まれていると制御装置３にて判断した場合には（ステップＳ８にてＹＥＳ）、制御装置３は、現在日時を示す現在日時情報を取得し、読取信号に含まれている患者識別情報に関連付けて巡視データとして記憶装置６に記憶させ（ステップＳ１０）、ステップＳ１の処理に戻る。
【００４１】
以上、詳しく説明したように、本実施形態の患者管理システムでは、患者用無線機１を患者に携行させ、医療従事者用無線機２を医療従事者に携行させて、部屋への人の出入りを区別して検出する入退室検出装置４が入室または退室を検出した場合に、読取装置５が近傍に存在する患者用無線機１および医療従事者用無線機２から患者識別情報および医療従事者識別情報を読み取るようにしている。そして、入退室検出装置４が入室を検出した場合に、その部屋の出入口付近に設置されている読取装置５が患者識別情報のみを読み取ったときには、その患者識別情報により特定される患者が部屋に入ったと判断して、在室患者識別情報として患者管理データを記憶装置６に記憶させるようにしている。一方、入退室検出装置４が退室を検出した場合に、その部屋の出入口付近に設置されている読取装置５が患者識別情報のみを読み取ったときには、その患者識別情報により特定される患者が部屋を出たと判断して、不在患者識別情報して患者管理データを記憶装置６に記憶させるようにしている。また、入退室検出装置４が退室を検出した場合に、その部屋の出入口付近に設置されている読取装置５が医療従事者識別情報および患者識別情報の両方を読み取ったときには、時計装置から現在日時を示す現在日時情報を取得して、読み取った患者識別情報および取得した現在日時情報を関連付けて巡視が完了したことを示す巡視データを記憶装置６に記憶させるようにしている。
【００４２】
これにより、入室または退室を検出した場合に、患者識別情報のみが読み取られたときには、その患者識別情報により特定される患者が入退室したと判断されて、読み取った患者識別情報が患者管理データとして記録される。また、退室を検出した場合に、医療従事者識別情報および患者識別情報の両方が読み取られたときには、その患者識別情報により特定される患者が携行していた患者用無線機１を医療従事者が受け取って退室したと判断されて、その患者への巡視が完了したことが巡視データとして記録される。従って、巡視すべき患者の部屋への出入りをリアルタイムに管理することおよびその部屋に居る患者についてのみ巡視の完了を記録することを個別の装置を使用せずにまとめて実施することができる。
【００４３】
なお、前述した実施形態では、制御装置３は、巡視を実施した患者の患者識別情報および巡視を完了した日時を示す巡視日時情報のみを巡視データとして記憶装置６に記憶させているが、これに限定されない。例えば、巡視を実施した医療従事者の医療従事者識別情報や入室および退室を検出した入退室検出装置４の入退室検出装置識別情報を巡視データに加えて記憶装置６に記憶させるようにしても良い。
【００４４】
また、前述した実施形態では、制御装置３は、入退室した患者の患者識別情報のみを患者管理データとして記憶装置６に記憶させているが、これに限定されない。例えば、患者が入退室した日時を示す日時情報を加えて記憶装置６に記憶させるようにしても良い。
【００４５】
また、前述した実施形態では、制御装置３は、患者が入退室したことのみを記録しているが、これに限定されない。例えば、制御装置３が医療従事者の入退室を記録するようにしても良い。
【００４６】
具体的には、制御装置３は、入退室検出装置４から出力された入室検出信号を入力した場合に、入力した入室検出信号に含まれている入退室検出装置識別情報に関連付けて記憶装置６に記憶されている読取装置識別情報および読取装置５が読み取った医療従事者識別情報を含む読取信号を入力したときに、その医療従事者識別情報を医療従事者管理データの在室医療従事者識別情報として記憶装置６に記憶させる。
【００４７】
また、制御装置３は、入退室検出装置４から出力された退室検出信号を入力した場合に、入力した退室検出信号に含まれている入退室検出装置識別情報に関連付けて記憶装置６に記憶されている読取装置識別情報および読取装置５が読み取った医療従事者識別情報を含む読取信号を入力したときに、その医療従事者識別情報を医療従事者管理データの不在医療従事者識別情報として記憶装置６に記憶させる。
【００４８】
その他、患者管理システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４９】
１    患者用無線機
２    医療従事者用無線機
３    制御装置
４    入退室検出装置
５    読取装置
６    記憶装置
【図１】
2012179104.tif 000003
【図２】
2012179104.tif 000004
【図３】
2012179104.tif 000005
【図４】
2012179104.tif 000006